(57)【要約】【課題】電池パック用ケースの外観品位を向上するとともに電池パック寸法の低減を図る。【解決手段】第１ケース構成部２１と、第２ケース構成部２２と、第１ケース構成部２１及び第２ケース構成部２２をつなぐヒンジ部２３と、を備え、ヒンジ部２３は、電池を収容可能に第１ケース構成部２１及び第２ケース構成部２２を折り畳んだ状態で、第１ケース構成部２１のヒンジ側部３０における外面３０ｂの延長面及び第２ケース構成部２２のヒンジ側部４０における外面４０ｂの延長面に対してケース内側に位置している。【選択図】図５
2011034910.tif 000002
【特許請求の範囲】
【請求項１】
第１ケース構成部と、
第２ケース構成部と、
前記第１ケース構成部及び前記第２ケース構成部をつなぐヒンジ部と、を備え、
前記ヒンジ部は、電池を収容可能に前記第１ケース構成部及び前記第２ケース構成部を折り畳んだ状態で、前記第１ケース構成部の外面の延長面及び前記第２ケース構成部の外面の延長面に対してケース内側に位置している電池パック用ケース。
【請求項２】
前記ヒンジ部は、前記折り畳んだ状態で、前記第１ケース構成部と前記第２ケース構成部との間の間隙に収まっている請求項１に記載の電池パック用ケース。
【請求項３】
前記第１ケース構成部及び前記第２ケース構成部は、前記折り畳んだ状態で前記ヒンジ部と対向する端面をそれぞれ有しており、
前記ヒンジ部は、前記折り畳んだ状態で、前記第１ケース構成部の端面と前記第２ケース構成部の端面との間の間隙に収まっている請求項１又は２に記載の電池パック用ケース。
【請求項４】
前記第１ケース構成部は、第１係合部を備え、
前記第２ケース構成部は、前記折り畳んだ状態で前記第１係合部に係合する第２係合部を備え、
前記ヒンジ部は、前記端面と前記第１係合部及び前記第２係合部との間に収まっている請求項３に記載の電池パック用ケース。
【請求項５】
前記第１ケース構成部及び前記第２ケース構成部を折り畳む前の状態での前記第１ケース構成部の前記端面は、前記折り畳んだ状態での前記第１ケース構成部の外面と平行な面に対して１５度以上の傾斜角度であり、
前記折り畳む前の状態での前記第２ケース構成部の前記端面は、前記折り畳んだ状態での前記第２ケース構成部の外面と平行な面に対して１５度以上の傾斜角度である請求項３又は４に記載の電池パック用ケース。
【請求項６】
折り畳む前の状態の前記ヒンジ部において、前記第１ケース構成部の端面と対向する面は、前記折り畳んだ状態での前記第１ケース構成部の外面と平行な面に対して４５度以下の傾斜角度であり、前記第２ケース構成部の端面と対向する面は、前記折り畳んだ状態での前記第２ケース構成部の外面と平行な面に対して４５度以下の傾斜角度である請求項３から５の何れか１項に記載の電池パック用ケース。
【請求項７】
前記折り畳む前の状態での前記第１ケース構成部の前記端面は、前記折り畳んだ状態での前記第１ケース構成部の外面と平行な面に対して４５度以下の角度であり、
前記折り畳む前の状態での前記第２ケース構成部の前記端面は、前記折り畳んだ状態での前記第２ケース構成部の外面と平行な面に対して４５度以下の角度である請求項６に記載の電池パック用ケース。
【請求項８】
請求項１から７の何れか１項に記載の電池パック用ケースと、
前記電池パック用ケースに収容された電池と、を備えている電池パック。
【発明の詳細な説明】
【技術分野】
【０００１】
本発明は、電池パック用ケース及び電池パックに関するものである。
【背景技術】
【０００２】
従来、下記特許文献１〜３に開示されているように、電池パック用のケースとして折り畳み式のものが知られている。この折り畳み式のケースは、第１ケース構成部と第２ケース構成部をヒンジ部を介して接続する構成となっていて、ヒンジ部で両ケース構成部を折り畳むことにより、両ケース構成部間に電池を収容する空間を形成するようになっている。
【先行技術文献】
【特許文献】
【０００３】
【特許文献１】特開２００５−２３５６５０号公報
【特許文献２】特開２００１−３５４６２号公報
【特許文献３】実開昭５９−１８２８６８号公報
【発明の概要】
【発明が解決しようとする課題】
【０００４】
前記特許文献１〜３に開示されたケースでは、両ケース構成部を折り畳んだときにヒンジ部がケースの外側に突出する構成となっている。したがって、このようなケースでは、電池パックの外観品位が低下するとともに、電池パックの幅寸法が増加してしまうという問題がある。
【０００５】
そこで、本発明は、かかる点に鑑みてなされたものであり、その目的とするところは、電池パック用ケースの外観品位を向上するとともに電池パック寸法の低減を図ることにある。
【課題を解決するための手段】
【０００６】
前記の目的を達成するため、本発明は、第１ケース構成部と、第２ケース構成部と、前記第１ケース構成部及び前記第２ケース構成部をつなぐヒンジ部と、を備え、前記ヒンジ部は、電池を収容可能に前記第１ケース構成部及び前記第２ケース構成部を折り畳んだ状態で、前記第１ケース構成部の外面の延長面及び前記第２ケース構成部の外面の延長面に対してケース内側に位置している電池パック用ケースである。
【０００７】
本発明では、第１ケース構成部及び第２ケース構成部を折り畳んだ状態で、ヒンジ部がケース内側に位置するように設けられている。すなわち、第１ケース構成部及び第２ケース構成部によって電池を収容できる折り畳み状態で、ヒンジ部は、ケース外面よりも内側に収まっている。したがって、電池パック用ケースの外観品位を向上することができるとともに、電池パック寸法の低減を図ることができる。
【０００８】
ここで、前記ヒンジ部は、前記折り畳んだ状態で、前記第１ケース構成部と前記第２ケース構成部との間の間隙に収まっているのが好ましい。この態様では、第１及び第２ケース構成部間の間隙を有効に利用してヒンジ部を収納することができる。
【０００９】
また、前記第１ケース構成部及び前記第２ケース構成部は、前記折り畳んだ状態で前記ヒンジ部と対向する端面をそれぞれ有している場合には、前記ヒンジ部は、前記折り畳んだ状態で、前記第１ケース構成部の端面と前記第２ケース構成部の端面との間の間隙に収まっているのが好ましい。
【００１０】
この態様では、ヒンジ部がケース構成部の端面間の間隙内に収まっている。すなわち、ヒンジ部が第１及び第２ケース構成部の端面間の間隙から内側に突出しないように端面間に収まっている。したがって、ケース内の空間を最大限に活用することができる。
【００１１】
この態様において、前記第１ケース構成部は、第１係合部を備え、前記第２ケース構成部は、前記折り畳んだ状態で前記第１係合部に係合する第２係合部を備える場合には、前記ヒンジ部は、前記端面と前記第１係合部及び前記第２係合部との間に収まっているのが好ましい。
【００１２】
この態様では、前記折り畳んだ状態でヒンジ部が前記端面と第１及び第２係合部とによって囲まれることになるので、ヒンジ部が電池等のケース内の収容物と接触することを防止することができる。
【００１３】
前記第１ケース構成部及び前記第２ケース構成部を折り畳む前の状態での前記第１ケース構成部の前記端面は、前記折り畳んだ状態での前記第１ケース構成部の外面と平行な面に対して１５度以上の傾斜角度であり、前記折り畳む前の状態での前記第２ケース構成部の前記端面は、前記折り畳んだ状態での前記第２ケース構成部の外面と平行な面に対して１５度以上の傾斜角度であるのが好ましい。
【００１４】
この態様では、第１及び第２ケース構成部の端面間の間隙の体積を、ヒンジ部の体積よりも大きくし易くすることができる。この結果、ヒンジ部を端面間の間隙に収め易くすることができる。
【００１５】
また、折り畳む前の状態の前記ヒンジ部において、前記第１ケース構成部の端面と対向する面は、前記折り畳んだ状態での前記第１ケース構成部の外面と平行な面に対して４５度以下の傾斜角度であり、前記第２ケース構成部の端面と対向する面は、前記折り畳んだ状態での前記第２ケース構成部の外面と平行な面に対して４５度以下の傾斜角度であるのが好ましい。
【００１６】
この態様では、前記折り畳んだ状態で前記外面と平行な面に対して垂直な方向に型を抜くように電池パック用ケースを成形する場合であっても、ヒンジ部を型から離型し易くすることができる。
【００１７】
この態様において、前記折り畳む前の状態での前記第１ケース構成部の前記端面は、前記折り畳んだ状態での前記第１ケース構成部の外面と平行な面に対して４５度以下の角度であり、前記折り畳む前の状態での前記第２ケース構成部の前記端面は、前記折り畳んだ状態での前記第２ケース構成部の外面と平行な面に対して４５度以下の角度であるのがより好ましい。
【００１８】
この態様では、端面の角度によってヒンジ部の離型性を確保することができる。
【００１９】
本発明は、前記電池パック用ケースと、前記電池パック用ケースに収容された電池と、を備えている電池パックである。
【発明の効果】
【００２０】
以上説明したように、本発明によれば、電池パック用ケースの外観品位を向上するとともに電池パック寸法の低減を図ることができる。
【図面の簡単な説明】
【００２１】
【図１】本発明の実施形態に係る電池パックの外観を示す斜視図である。
【図２】前記電池パックを構成部品ごとに分解して示す斜視図である。
【図３】ケースを折り畳む前の状態を示す前記電池パックの斜視図である。
【図４】折り畳む前の状態のケースを部分的に示す断面図である。
【図５】折り畳んだ状態のケースを部分的に示す断面図である。
【図６】ケースのヒンジ部およびヒンジ側部を説明するための断面図である。
【図７】ケースのヒンジ部およびヒンジ側部を説明するための断面図である。
【図８】本発明のその他の実施形態におけるヒンジ側部およびヒンジ部を示す断面図である。
【図９】前記その他の実施形態における外側部を示す断面図である。
【発明を実施するための形態】
【００２２】
以下、本発明を実施するための形態について図面を参照しながら詳細に説明する。
【００２３】
図１〜図３に示すように、本実施形態に係る電池パック１０は、電池パック用ケースであるケース１２と、このケース１２に収容された電池１４とを備えている。電池１４は扁平な略箱状の２次電池によって構成されており、本実施形態では、複数（図例では６つ）の電池１４が収納される形態が示されている。
【００２４】
ケース１２内には、電池１４の保護回路等を有する回路基板１６も収容されており、この回路基板１６には、外部と接続するための接続端子１６ａが取り付けられている。接続端子１６ａは、ケース１２に設けられた開口部を通して外部に露出するようになっている。なお、図１、図２に示すように、ケース１２にはラベル１８が貼り付けられる。
【００２５】
ケース１２は、樹脂製であり、全体として扁平な外観を呈している。ケース１２は、折り畳み式のものであり、第１ケース構成部２１と、第２ケース構成部２２と、第１ケース構成部２１及び第２ケース構成部２２をつなぐヒンジ部２３と、を一体的に備えている。ケース１２は、射出成形等、図外の型（金型）のキャビティ内で溶融樹脂を固化させた後、型から離型させることによって成形されるものである。
【００２６】
第１ケース構成部２１は、平板状の底部（第１底部）２７と、底部２７の外周端部に立設される側部（第１側部）２８とを有している。第１底部２７は、一方向に長い矩形状の一部がヒンジ部２３と反対側に少し張り出した形状に形成されている。第１側部２８には、ヒンジ部２３がつながる部位であるヒンジ側部（第１ヒンジ側部）３０と、ヒンジ部２３がつながっていない部位である外側部（第１外側部）３１とが含まれている。第１ヒンジ側部３０は、第１底部２７の長手方向に延びる一辺に沿って直線状に延びている平板状の部位である。第１外側部３１は、第１ヒンジ側部３０の一端部から連続して繋がるとともに、第１底部２７の外周端部に沿って形成され、第１ヒンジ側部３０の他端部に繋がっている。
【００２７】
第１ケース構成部２１には、リブ３３が立設されていて、このリブ３３により、第１側部２８で囲まれた領域が電池１４を配設する領域と回路基板１６を配設する領域とに区分けされている。
【００２８】
第２ケース構成部２２は、第１底部２７と対称な形状の平板状の底部（第２底部）３７と、この底部３７の外周端部に立設される側部（第２側部）３８とを有している。第２側部３８には、ヒンジ部２３がつながる部位であるヒンジ側部（第２ヒンジ側部）４０と、ヒンジ部２３がつながっていない部位である外側部（第２外側部）４１とが含まれている。第２ヒンジ側部４０は、第２底部３７の長手方向に延びる一辺に沿って直線状に延びている平板状の部位である。第２外側部４１は、第２ヒンジ側部４０の一端部から連続して繋がるとともに、第２底部３７の外周端部に沿って形成され、第２ヒンジ側部４０の他端部に繋がっている。この第２外側部４１の先端面は、ケース１２を折り畳んだ状態で第１外側部３１の先端面と接合され、この状態で互いに固着又は接着される。前述した開口部は、両ケース構成部２１，２２の外側部３１，４１に跨るように形成されており、この部位では外側部３１，４１同士は接合されていない。
【００２９】
なお、第２ケース構成部２２には、第１ケース構成部２１と異なり、リブ３３が設けられていないが、第１ケース構成部２１と同じ位置にリブを設けるようにしてもよい。
【００３０】
図４及び図５に示すように、第１ヒンジ側部３０は、高さ方向に厚みが次第に薄くなる形状に形成されており、第２ヒンジ側部４０は、高さ方向に厚みが一定の形状に形成されている。なお、図４は、第１ケース構成部２１及び第２ケース構成部２２を折り畳む前の状態を示し、図５は、折り畳んだ状態を示している。
【００３１】
ただし、各ヒンジ側部３０，４０はこの構成に限られるものではなく、ヒンジ側部３０，４０が何れも高さ方向に厚みが一定の形状であってもよく、何れも高さ方向に厚みが薄くなる形状であってもよく、あるいは、図４とは逆に、第１ヒンジ側部３０が一定厚みを有する形状で、かつ、第２ヒンジ側部４０が先端側ほど薄くなる形状に形成されていてもよい。
【００３２】
第１ヒンジ側部３０は、第１係合部４５を備え、第２ヒンジ側部４０は、第１係合部４５に係合可能な第２係合部４７を備えている。図６にも示すように、第１係合部４５は、第１ヒンジ側部３０の内側の側面（折り畳んだ状態でケース１２内側となる側面）３０ｃに一体的に形成されるものであり、前記側面３０ｃから延出される基側部４５ａと、この基側部４５ａから延出され、第１ヒンジ側部３０の外面３０ｂと平行な方向に延びる先側部４５ｂとを有する。先側部４５ｂには、貫通孔４５ｃが形成されている。
【００３３】
第２係合部４７は、第２ヒンジ側部４０の先端面４０ａから第２ヒンジ側部４０の外面４０ｂと平行な方向に突出してする本体部４７ａと、この本体部４７ａからその突出方向とは直交する方向に突出する爪部４７ｂとを有する。図５に示すように、両ケース構成部２１，２２を折り畳むと爪部４７ｂが第１係合部４５の貫通孔４５ｃに係合し、これにより第１係合部４５と第２係合部４７とが互いに係止されることになる。この折り畳んだ状態では、第１ヒンジ側部３０の先端面３０ａと第２ヒンジ側部４０の先端面４０ａとが互いに対向し、両先端面３０ａ，４０ａ間にヒンジ部２３が位置する状態となる。言い換えると、ヒンジ部２３は、第１ヒンジ側部３０の外面３０ｂの延長面及び第２ヒンジ側部４０の外面４０ｂの延長面に対してケース１２内側に位置し、しかも、第１ヒンジ側部３０の先端面３０ａと第２ヒンジ側部４０の先端面４０ａとの間の間隙に収まった状態となる。すなわち、ヒンジ部２３の張り出し量が先端面３０ａ，４０ａの幅よりも小さくなっているので、この間隙に収まった状態となる。そして、ヒンジ部２３は、両先端面３０ａ，４０ａと第１係合部４５及び第２係合部４７との間に収まった状態となる。
【００３４】
ヒンジ部２３は、図６に示すように、両ケース構成部２１，２２を折り畳む前の状態で、底部２７，３７から側部２８，３８が突出する方向に張り出すアーチ状に形成されている。これにより、ヒンジ部２３は、折り畳んだ状態でもケース１２の外面３０ｂ，４０ｂに対してケース１２内側に維持されるようになる。なお、本実施形態では、ヒンジ部２３は、ヒンジ側部３０，４０の長さ方向のほぼ全体に亘って連続するように設けられているが、長さ方向に断続的に形成されていてもよく、あるいはヒンジ側部３０，４０の長さ方向の一部に設けられていてもよい。
【００３５】
ヒンジ部２３は、その一端部が第１ヒンジ側部３０に繋がる一方、他端部が第２ヒンジ側部４０に繋がっている。より詳細には、図６に示すように、両ケース構成部２１，２２を折り畳む前の状態において、第１ヒンジ側部３０の外面３０ｂと第２ヒンジ側部４０の外面４０ｂとが互いに向かい合う状態で平行になるように両ヒンジ側部３０，４０が配置されていて、ヒンジ部２３の一側部２３ａは、第１ヒンジ側部３０の先端面３０ａにおける外面３０ｂ側の端部から前記外面３０ｂに対して傾斜した方向に延出されている。一方、ヒンジ部２３の他側部２３ｂは、第２ヒンジ側部４０の先端面４０ａにおける外面４０ｂ側の端部から当該外面４０ｂに対して傾斜した方向に延出されている。そして、湾曲したヒンジ部２３の中央部は、第１ヒンジ側部３０及び第２ヒンジ側部４０の各先端面３０ａ，４０ａよりもヒンジ側部３０，４０の突出方向（折り畳んだ状態でケース内側となる方向、図６における右方向）に位置している。
【００３６】
折り畳む前の状態での第１ヒンジ側部３０の先端面３０ａは、両ケース構成部２１，２２を折り畳んだ状態での第１ヒンジ側部３０の外面３０ｂと平行な面ＰＬ（図６）に対して傾斜し、折り畳む前の状態での第２ヒンジ側部４０の先端面４０ａは、折り畳んだ状態での第２ヒンジ側部４０の外面４０ｂと平行な面ＰＬに対して傾斜している。この各先端面３０ａ，４０ａの傾斜角度は、折り畳んだ状態でのヒンジ側部３０，４０の外面３０ｂ，４０ｂと平行な面ＰＬに対して、１５度以上で且つ４５度以下の角度であるのが好ましい。この傾斜角度は、先端面３０ａ，４０ａの中で平坦に形成されている部位の傾斜角度を意味している。なお、本実施形態では、両先端面３０ａ，４０ａの傾斜角度は同じである。
【００３７】
先端面３０ａ，４０ａが１５度以上である場合には、折り畳んだ状態で先端面３０ａ，４０ａ間の間隙の体積を、ヒンジ部２３の体積よりも大きくし易くすることができる。すなわち、図７に示すように、先端面３０ａ，４０ａの傾斜角度がゼロ度の場合と１５度の場合とで相違する空間Ｓの体積がヒンジ部２３の体積よりも大きくなり易い。なお、図７は、第２ヒンジ側部４０の先端面４０ａ側において前記相違する空間Ｓに模様を付して示すとともに、ヒンジ部２３の他側部２３ｂに模様を入れて示している。
【００３８】
折り畳む前の状態において、ヒンジ部２３の一側部２３ａのうち、第１ヒンジ側部３０の先端面３０ａに繋がる面（内面）は、両ケース構成部２１，２２を折り畳んだ状態での第１ヒンジ側部３０の外面３０ｂと平行な面ＰＬに対して４５度以下の傾斜角度であるのが好ましい。ここで、内面が４５度以下の傾斜角度を有するというのは、第１ヒンジ側部３０の先端面３０ａに繋がる内面のうち、平坦に形成された部位が４５度以下の傾斜角度であるという意味である。そして、折り畳む前の状態において、ヒンジ部２３の他側部２３ｂのうち、第２ヒンジ側部４０の先端面４０ａに繋がる面（内面）は、両ケース構成部２１，２２を折り畳んだ状態での第２ヒンジ側部４０の外面４０ｂと平行な面に対して４５度以下の傾斜角度であるのが好ましい。この傾斜角度も一側部２３ａの内面の傾斜角度と同義である。本実施形態では、ヒンジ部２３の一側部２３ａと他側部２３ｂの傾斜角度は同じである。なお、本実施形態では、両ケース構成部２１，２２を折り畳んだ状態では、第１ヒンジ側部３０の外面３０ｂと第２ヒンジ側部４０の外面４０ｂとは同一面上に位置する。
【００３９】
ヒンジ部２３の一側部２３ａ及び他側部２３ｂの傾斜角度が４５度以下である場合には、ケース１２の成形時において離型性を向上することができる。そして、ヒンジ側部３０，４０の先端面３０ａ，４０ａを同様に４５度以下に設定することにより、離型性の向上を確保することができる。すなわち、図６において、ケース１２の成形時に図外の型（金型）を左右方向（両ケース構成部２１，２２を折り畳んだ状態での外面３０ｂ，４０ｂに垂直な方向）に開くことになるが、このとき、ヒンジ部２３の一側部２３ａ及び他側部２３ｂの傾斜角度は、型の移動方向に対して４５度以上となる。このため、ヒンジ部２３が型に引っ張られて変形することが抑制されて離型性を向上させることができる。
【００４０】
成形時には、図４に示すように、第１ヒンジ側部３０の外面３０ｂと第２ヒンジ側部４０の外面４０ｂとが互いに向かい合う状態となっている。この状態で第１ケース構成部２１の上に電池１４、回路基板１６等を配置し、その後、ヒンジ部２３を中心として第２ケース構成部２２を回動させて、第１ケース構成部２１と第２ケース構成部２２を対向させ、第２係合部４７の爪部４７ｂを第１係合部４５の貫通孔４５ｃに係止させる。係合部４５，４７同士を係止させることにより、両ケース構成部２１，２２の接合前でも両者を固定可能となり、溶着、接着時等の接合面の位置合わせを確実に行うことができる。そして、両ケース構成部２１，２２の外側部同士を溶着、接着等させることにより、電池パック１０が完成する。
【００４１】
以上説明したように、本実施形態では、第１ケース構成部２１及び第２ケース構成部２２を折り畳んだ状態で、ヒンジ部２３がケース１２内側に位置するように設けられている。すなわち、第１ケース構成部２１及び第２ケース構成部２２によって電池１４を収容できる折り畳み状態で、ヒンジ部２３は、ケース１２の外面３０ｂ，４０ｂよりも内側に収まっている。したがって、電池パック用ケース１２の外観品位を向上することができるとともに、電池パック寸法の低減を図ることができる。
【００４２】
さらに、ケース１２を折り畳んだ状態でヒンジ部２３がヒンジ側部３０，４０間の間隙に収まるので、第１及び第２ケース構成部２１，２２間の間隙を有効に利用してヒンジ部２３を収納することができる。しかも、ヒンジ部２３がヒンジ側部３０，４０の先端面３０ａ，４０ａ間からケース１２内側に突出しないように配設されているので、ケース１２内の空間を最大限に活用することができる。
【００４３】
また、ヒンジ部２３が両先端面３０ａ，４０ａと第１係合部４５及び第２係合部４７との間に収まった状態となっているので、ヒンジ部２３が電池１４等のケース１２内の収容物と接触することを防止することができる。
【００４４】
また、本実施形態では、ヒンジ側部３０，４０の先端面３０ａ，４０ａの傾斜角度を折り畳み状態での外面３０ｂ，４０ｂと平行な面に対して１５度以上としているので、第１及び第２ケース構成部２２の端面間の間隙の体積を、ヒンジ部２３の体積よりも大きくし易くすることができる。この結果、ヒンジ部２３を端面間の間隙に収め易くすることができる。
【００４５】
また、本実施形態では、ヒンジ部２３においてヒンジ側部の先端面３０ａ，４０ａと対向する面の傾斜角度を折り畳み状態での外面３０ｂ，４０ｂと平行な面に対して４５度以下としているので、折り畳み状態で外面３０ｂ，４０ｂと平行な面に対して垂直な方向に型を抜くように電池パック用ケース１２を成形する場合であっても、ヒンジ部２３を型から離型し易くすることができる。そして、ヒンジ側部の先端面３０ａ，４０ａの傾斜角度を折り畳み状態での外面３０ｂ，４０ｂと平行な面に対して４５度以下としているので、先端面３０ａ，４０ａの角度によってヒンジ部２３の離型性を確保することができる。
【００４６】
なお、本発明は、前記実施形態に限られるものではなく、その趣旨を逸脱しない範囲で種々変更、改良等が可能である。例えば、前記実施形態では、第１係合部４５が貫通孔４５ｃを有するとともに、第２係合部４７が爪部４７ｂを有する構成としたが、これに限られるものではない。例えば、第１係合部４５が爪部４７ｂを有し、第２係合部４７が貫通孔４５ｃを有する構成としてもよい。また、貫通孔４５ｃに代えて、爪部４７ｂが引っ掛かるような凹部を形成するようにしてもよい。また、図８及び図９に示すように、ヒンジ側部３０，４０には係合部４５，４７が設けられず、第１係合部４５が第１外側部３１に設けられるとともに第２係合部４７が第２外側部４１に設けられる構成としてもよい。この場合、第１係合部４５が爪部を有し、第２係合部４７が貫通孔又は凹部を有する構成であってもよい。また、係合部４５，４７は、ヒンジ側部３０，４０の長さ方向に連続する構成でもよく、あるいはヒンジ側部３０，４０の長さ方向の適宜箇所に設けられる構成でもよい。また、係合部４５，４７を省略する構成としもよい。
【００４７】
前記実施形態では、ケース１２を扁平な外観を呈する構成としたが、これに限られるものではない。また、底部２７，３７及びヒンジ側部３０，４０がそれぞれ平板状で且つ略直交する構成としたが、これに限られるものではなく、底部及びヒンジ側部が湾曲状につながり、円筒状の電池１４を収納可能な構成としてもよい。この場合のヒンジ側部３０，４０の先端面３０ａ，４０ａの傾斜角度は、当該先端部での外面３０ｂ，４０ｂの接線方向を基準として設定すればよい。
【符号の説明】
【００４８】
１０  電池パック
１２  ケース
１４  電池
２１  第１ケース構成部
２２  第２ケース構成部
２３  ヒンジ部
２７  第１底部
２８  第１側部
３０  第１ヒンジ側部
３０ａ  先端面
３０ｂ  外面
３７  第２底部
３８  第２側部
４０  第２ヒンジ側部
４０ａ  先端面
４０ｂ  外面
４５  第１係合部
４７  第２係合部
【図１】
2011034910.tif 000003
【図２】
2011034910.tif 000004
【図３】
2011034910.tif 000005
【図４】
2011034910.tif 000006
【図５】
2011034910.tif 000007
【図６】
2011034910.tif 000008
【図７】
2011034910.tif 000009
【図８】
2011034910.tif 000010
【図９】
2011034910.tif 000011